(57)【要約】【課題】薄板状の表示パネルを備えたテレビジョン装置の省スペース化という長所を損なうことなく、また、正面から見たテレビジョン装置のデザイン性を損なうことなくトレイを配置し、テレビジョン装置の上部を小物類の載置スペースとして利用できるようにした。【解決手段】トレイ１６は、薄板状の表示パネル２０の後面の上端に設けられている。テレビジョン装置１０が使用される場合、その占有スペースＳは、平面視した場合、載置用板部１４０２の前縁を通り左右方向に延在する仮想線Ｌ５と、載置用板部１４０２の後縁を通り左右方向に延在する仮想線Ｌ２と、ディスプレイ装置１２の左右両端を通り前後方向に延在する２本の仮想線Ｌ３、Ｌ４とで囲まれたスペースであるが、本発明ではこの占有スペースＳのうち、表示パネル２０の上端を覆う筐体２２部分の後面の後方のスペースのみを利用し、占有スペースＳ内に収まるようにトレイ１６が設けられている。【選択図】        図２
2007088626.tif 000002
【特許請求の範囲】
【請求項１】
基台と、
前記基台で支持された筐体と、
前記筐体に収容された薄板状の表示パネルとを備え、
前記表示パネルの前面と反対に位置する前記筐体の後面で前記表示パネルの上端を覆う前記筐体部分にトレイが設けられ、
平面視した場合、前記表示パネルの上端を覆う前記筐体部分の後面を通り左右方向に延在する仮想線と前記基台の後縁を通り左右方向に延在する仮想線との間に前記トレイの前後方向における輪郭が収まっており、かつ、前記表示パネルの左右両端を覆う前記筐体部分の左右両端を通り前後方向に延在する２本の仮想線の間に前記トレイの左右方向における輪郭が収まっている、
ことを特徴とするテレビジョン装置。
【請求項２】
前記トレイは底壁を有し、前記底壁は、前記表示パネルの上端を覆う前記筐体部分の上縁よりも下方の箇所に位置していることを特徴とする請求項１記載のテレビジョン装置。
【請求項３】
前記トレイは底壁と、前記底壁の周囲から起立する側壁とを備え、前記側壁の上端は、前記表示パネルの上端を覆う前記筐体部分の上縁と同じ高さに位置し、または、前記表示パネルの上端を覆う前記筐体部分の上縁よりも下方の箇所に位置していることを特徴とする請求項１記載のテレビジョン装置。
【請求項４】
前記トレイは底壁を有し、前記底壁は水平面上を延在していることを特徴とする請求項１記載のテレビジョン装置。
【請求項５】
前記表示パネルは高さよりも大きい寸法の幅を有し、前記トレイは前記表示パネルの上端を覆う前記筐体部分の幅方向の全長にわたって延在していることを特徴とする請求項１記載のテレビジョン装置。
【請求項６】
前記表示パネルは高さよりも大きい寸法の幅を有し、前記トレイは前記筐体の前後方向の厚さよりも小さい寸法の前後方向の寸法を有して前記表示パネルの上端を覆う前記筐体部分の幅方向の全長にわたって延在していることを特徴とする請求項１記載のテレビジョン装置。
【請求項７】
前記表示パネルは高さよりも大きい寸法の幅を有し、前記トレイは前記筐体の前後方向の厚さよりも大きい寸法の前後方向の寸法を有して前記表示パネルの上端を覆う前記筐体部分の幅方向の全長にわたって延在していることを特徴とする請求項１記載のテレビジョン装置。
【請求項８】
前記トレイは、前記筐体に一体に形成されていることを特徴とする請求項１記載のテレビジョン装置。
【請求項９】
前記筐体は、前記表示パネルの前面の周囲と側面を覆うフロントカバーと、前記表示パネルの後面を覆うバックカバーとを含んで構成され、前記トレイは、前記バックカバーと一体に形成されていることを特徴とする請求項１記載のテレビジョン装置。
【請求項１０】
前記トレイは前記筐体とは別の部材で構成され、前記トレイは着脱可能に前記筐体に取り付けられていることを特徴とする請求項１記載のテレビジョン装置。
【請求項１１】
前記トレイに、前記テレビジョン装置と外部装置との間で映像信号や音声信号などをやりとりするための入出力用の複数のコネクタが設けられていることを特徴とする請求項１記載のテレビジョン装置。
【請求項１２】
前記トレイに、電源コンセントが設けられていることを特徴とする請求項１記載のテレビジョン装置。
【請求項１３】
前記テレビジョン装置は、外部装置との間で映像信号や音声信号などをやりとりするための入出力用の複数のコネクタを備え、前記複数のコネクタは、前記トレイの下方で前記トレイの近傍の前記筐体箇所に設けられていることを特徴とする請求項１記載のテレビジョン装置。
【請求項１４】
前記筐体の後面で前記トレイの下方の近傍の箇所に電源コンセントが設けられていることを特徴とする請求項１記載のテレビジョン装置。
【請求項１５】
基台と、
前記基台で支持された筐体と、
前記筐体に収容された薄板状の表示パネルとを備え、
前記表示パネルの前面と反対に位置する前記筐体の後面で前記表示パネルの上端を覆う前記筐体部分にトレイが設けられ、
前記筐体は前記基台に揺動調節可能に結合され、
前記トレイの前部は前記筐体の後面の上端の箇所に揺動可能に結合され、
前記トレイは底壁を有し、
前記底壁を常に水平に保つ平行運動機構が前記トレイと前記基台との間に設けられている、
ことを特徴とするテレビジョン装置。
【請求項１６】
前記平行運動機構は４つのリンクを含んで構成され、前記基台に揺動調節可能に結合された前記筐体の後面の箇所と、前記トレイの前部が結合された前記筐体の後面の上部の箇所と、を接続する前記筐体の部分は、前記４つのリンクのうちの１つのリンクを構成していることを特徴とする請求項１５記載のテレビジョン装置。
【請求項１７】
前記表示パネルが鉛直方向に沿って起立した状態で、平面視した場合、前記表示パネルの上端を覆う前記筐体部分の後面を通り左右方向に延在する仮想線と前記基台の後縁を通り左右方向に延在する仮想線との間に前記トレイの前後方向における輪郭が収まっており、かつ、前記表示パネルの左右両端を覆う前記筐体部分の左右両端を通り前後方向に延在する２本の仮想線の間に前記トレイの左右方向における輪郭が収まっていることを特徴とする請求項１５記載のテレビジョン装置。
【請求項１８】
前記トレイは、前記表示パネルの左右幅に対応した左右幅を有し、前記トレイの前部が前記筐体の後面の上端の箇所に揺動可能に結合される箇所は、前記トレイの左右幅方向の両端の箇所であり、前記トレイの前部が揺動可能に結合される前記筐体の後面の上端の箇所は、前記表示パネルの後方に位置する前記筐体の左右側面箇所であることを特徴とする請求項１５記載のテレビジョン装置。
【発明の詳細な説明】
【技術分野】
【０００１】
本発明は薄板状の表示パネルを備えたテレビジョン装置に関する。
【背景技術】
【０００２】
液晶ディスプレイやプラズマディスプレイ、ＥＬディスプレイなどを採用したテレビジョン装置では、薄板状の表示パネルを筐体に収容し、この筐体を基台で支持しており、ブラウン管方式のものに比べ省スペース化が図られており、壁の近くの床の端や、壁に設けられた棚、テーブル、カウンターなどの狭い場所に載置されて使用可能である。
一方、従来のブラウン管方式のテレビジョン装置では、筐体が箱状を呈しているため、筐体の上面を載置面として利用できる。したがって、筐体の上にポータブル機器や、リモートコントロール装置、小物類を載置することができる。
これに対して、薄板状の表示パネルを備えたテレビジョン装置では、筐体自体が薄いため、ポータブル機器や、リモートコントロール装置、小物類を載置する場所がない。
そのため、薄板状の表示パネルが用いられたテレビジョン装置を使用した場合、テレビジョン装置を遠隔操作するためのリモートコントロール装置は、テレビジョン装置とは別の分かりやすい場所におかれている。
また、ビデオカメラやデジタルスチルカメラなどのようなテレビジョン装置に接続可能なポータブル機器をテレビジョン装置に接続する場合、テレビジョン装置の近傍にそれらポータブル機器を載置しているのが現状であり、テレビジョン装置の周囲に複数本の接続用ケーブルが取り回され、テレビジョン装置の周囲が煩雑となる。
また、家や車のキー、腕時計などのように、常時携帯する小物も、テレビジョン装置とは別の分かりやすい一定の場所に置かれている。
本発明者は、薄板状の表示パネルを備え省スペース化が図られたテレビジョン装置に、上述のポータブル機器や、リモートコントロール装置、小物類を省スペース化を維持しつつ載置することができないかを鋭意研究した。
従来、ブラウン管方式のテレビジョン装置では、その筐体の上部に、電源コンセントを備える載置台を取り付け、この載置台の上にポータブル機器を置き、電源コンセントを利用してポータブル機器で撮った画像をテレビジョン装置のディスプレイに映し出すようにしたものは提案されている（例えば、特許文献１）。
【特許文献１】特開平７−７５０４２
【発明の開示】
【発明が解決しようとする課題】
【０００３】
しかしながらこのような技術は、ブラウン管方式のテレビジョン装置の筐体に対応して載置台自体を大型なものとしており、載置台を設けた状態では載置台を含む筐体自体がより大型化し、省スペース化が図れず、実用化されていないのが現状である。
さらに、薄板状の表示パネルを備えたテレビジョン装置では、表示パネルが収容された筐体を基台で上下に揺動調節可能に支持したものが提供されている。
このようなテレビジョン装置では、載置台を筐体に設けた場合、筐体の揺動角度によっては載置台の傾きが大きくなり、載置台として利用できなくなる。
本発明は前記事情に鑑み案出されたものであって、本発明の目的は、省スペース化を維持しつつ、また、正面から見たテレビジョン装置のデザイン性を損なうことなくポータブル機器や、リモートコントロール装置、小物類の載置スペースとして利用できる薄板状の表示パネルを備えたテレビジョン装置を提供することにある。
また、本発明の目的は、薄板状の表示パネルを収容する筐体が基台で揺動可能に支持されている場合に、使用される表示パネルおよび筐体の傾きの如何に拘わらず小物類を安定した状態で載置できるテレビジョン装置を提供することにある。
【課題を解決するための手段】
【０００４】
上記目的を達成するために、本発明のテレビジョン装置は、基台と、前記基台で支持された筐体と、前記筐体に収容された薄板状の表示パネルとを備え、前記表示パネルの前面と反対に位置する前記筐体の後面で前記表示パネルの上端を覆う前記筐体部分にトレイが設けられ、平面視した場合、前記表示パネルの上端を覆う前記筐体部分の後面を通り左右方向に延在する仮想線と前記基台の後縁を通り左右方向に延在する仮想線との間に前記トレイの前後方向における輪郭が収まっており、かつ、前記表示パネルの左右両端を覆う前記筐体部分の左右両端を通り前後方向に延在する２本の仮想線の間に前記トレイの左右方向における輪郭が収まっていることを特徴とする。
また、本発明のテレビジョン装置は、基台と、前記基台で支持された筐体と、前記筐体に収容された薄板状の表示パネルとを備え、前記表示パネルの前面と反対に位置する前記筐体の後面で前記表示パネルの上端を覆う前記筐体部分にトレイが設けられ、前記筐体は前記基台に揺動調節可能に結合され、前記トレイの前部は前記筐体の後面の上端の箇所に揺動可能に結合され、前記トレイは底壁を有し、前記底壁を常に水平に保つ平行運動機構が前記基台上に設けられていることを特徴とする。
【発明の効果】
【０００５】
薄板状の表示パネルを備えるテレビジョン装置が使用される場合、その占有スペースは、平面視した場合、基台の前縁を通り左右方向に延在する仮想線と、基台の後縁を通り左右方向に延在する仮想線と、ディスプレイ装置の左右両端を通り前後方向に延在する２本の仮想線とで囲まれたスペースである。
本発明のテレビジョン装置では、前記占有スペースのうち、表示パネルの上端を覆う筐体部分の後面の後方のスペースのみを利用してこの占有スペースに収まるようにトレイが設けられているので、薄板状の表示パネルを備えたテレビジョン装置の省スペース化という長所を損なうことなく、また、正面から見たテレビジョン装置のデザイン性を損なうことなくトレイを配置できる。
したがって、テレビジョン装置の商品価値を何ら低下させることなくテレビジョン装置の上部を、ポータブル機器や、リモートコントロール装置、小物類の載置スペースとして利用することができるようになり、テレビジョン装置の商品価値や実用的価値を格段と高めることが可能となる。
また、薄板状の表示パネルが収容された筐体が基台で揺動調節可能に支持された本発明のテレビジョン装置では、ディスプレイ装置が上下に揺動調節された際に、ディスプレイ装置の上下揺動に追従してトレイが底壁を常に水平に保った状態で前後方向に移動する。
したがって、テレビジョン装置を構成し上下に揺動する筐体の後面の上部を、ポータブル機器や、リモートコントロール装置、小物類を落下させることなく載置できる載置スペースとして利用でき、薄板状の表示パネルを備えたテレビジョン装置の商品価値や実用的価値を格段と高めることが可能となる。
【発明を実施するための最良の形態】
【０００６】
（第１の実施の形態）
以下、本発明によるテレビジョン装置１０の実施の形態を図面に基づいて説明する。
図１は第１の実施の形態のテレビジョン装置１０の斜視図、図２（Ａ）はテレビジョン装置１０の平面図、（Ｂ）はテレビジョン装置１０の正面図、（Ｃ）はテレビジョン装置１０の側面図、図３はトレイ部分の断面図を示している。
図１、図２（Ａ）、（Ｂ）に示すように、テレビジョン装置１０は、ディスプレイ装置１２と、このディスプレイ装置１２を支持する基台１４と、トレイ１６とを備えている。
本実施の形態では、ディスプレイ装置１２は左右に横長で矩形の薄板状の表示パネル２０と、この表示パネル２０が収容される筐体２２とを含んでおり、本実施の形態では、表示パネル２０は液晶パネルである。
筐体２２は、矩形枠状のフロントカバー２４と、フロントカバー２４と同じ輪郭の矩形状のバックカバー２６とが複数のねじによって締結されて構成され、フロントカバー２４は、表示パネル２０の表示面２００２をなす前面の周囲と側面を覆っている。
すなわち、表示パネル２０はその表示面２００２をフロントカバー２４の開口に臨ませて配設され、表示パネル２０の後面はバックカバー２６で覆われており、筐体２２の内部に、表示パネル２０を駆動、制御するための種々の電子部品が配設され、これら電子部品の多くはバックカバー２６の内部に配設されている。
フロントカバー２４の前面下部には、リモートコントロール装置から送信される赤外線信号を受信する受光素子２４０２や、電源のオンオフ、予約動作、スタンバイ（省電力動作）、通信動作などの状態を点灯、滅灯、点滅、あるいは点灯色などにより表示する複数のＬＥＤ２４０４が設けられている。
また、バックカバー２６の上部には、テレビジョン装置１０と外部装置との間で映像信号や音声信号などをやり取りするための入出力用の複数のコネクタ２８が設けられている。
【０００７】
基台１４は、テーブルや棚、カウンター、床などに載置される載置用板部１４０２と、載置用板部１４０２の中央から起立する支柱部１４０４とを備えている。
支柱部１４０４の上端はバックカバー２６の下端に連結され、本実施の形態では、支柱部１４０４とバックカバー２６とが一体に形成され、支柱部１４０４の下端と載置用板部１４０２とがねじにより固定されている。なお、支柱部１４０４を載置用板部１４０２に対して所定の角度だけ水平方向に旋回させるようにするなど任意である。
載置用板部１４０２は、前後方向の奥行きと、左右方向の幅を有し、前半部がディスプレイ装置１２の前面から楕円状に前方に突出しており、後半部はディスプレイ装置１２の後面から後方に延在しその後縁は左右方向に延在している。
【０００８】
トレイ１６は、表示面２００２が位置する表示パネル２０の前面とは反対側に位置する筐体２２の後面で表示パネル２０の上端を覆う筐体２２部分に設けられている。すなわちトレイ１６は表示パネル２０の後面の上端に設けられている。そして、上述の複数のコネクタ２８は、トレイ１６の下方でトレイ１６の近傍箇所に位置している。
本実施の形態では、トレイ１６は、バックカバー２６の上端にバックカバー２６と一体に設けられている。
トレイ１６は、ディスプレイ装置１２（又は筐体２２）の前後方向の厚さよりも小さい寸法の奥行きを有して表示パネル２０の幅方向の全長にわたって延在し、左右に横長の矩形状を呈し、載置スペースを確保している。
図３に示すように、トレイ１６は底壁１６０２と、底壁１６０２の周囲から起立された側壁１６０４とを備え、トレイ１６の前端で左右に延在する側壁１６０４部分は、表示パネル２０の後面を覆うバックカバー２６部分を兼ねている。
底壁１６０２は、表示パネル２０の上端を覆う筐体２２部分の上縁よりも下方の箇所に位置し、より詳細には、表示パネル２０の上端面を覆うフロントカバー２４の上端面よりも下方の箇所に位置し、底壁１６０２の上面は水平面上を延在している。
また、側壁１６０４の上端は、表示パネル２０の上端を覆う筐体２２部分の上縁と同じ高さに位置し、あるいは、表示パネル２０の上端を覆う筐体２２部分の上縁よりも下方の箇所に位置している。より詳細には、側壁１６０４の上端は、表示パネル２０の上端面を覆うフロントカバー２４の上端面と同じ高さに位置し、あるいは、表示パネル２０の上端面を覆うフロントカバー２４の上端面よりも下方の箇所に位置している。
本実施の形態では、底壁１６０２の上面全域に、摩擦係数の大きな材料からなるシート材１６０６が取着され、トレイ１６に置かれた物の安定性が図られている。
【０００９】
そして、トレイ１６は、図２（Ａ）に示すように、平面視した場合、表示パネル２０の上端を覆う筐体２２部分の後面を通り（本実施の形態ではバックカバー２６の上端面を通り）左右方向に延在する仮想線Ｌ１と、載置用板部１４０２の後縁を通り左右方向に延在する仮想線Ｌ２との間にトレイ１６の前後方向における輪郭が収まり、かつ、表示パネル２０の左右両端を覆う筐体２２部分の左右両端を通り（本実施の形態ではフロントカバー２４の左右側面を通り）前後方向に延在する２本の仮想線Ｌ３、Ｌ４との間にトレイ１６の左右方向における輪郭が収まるように設けられている。
【００１０】
なお、図２（Ｃ）において符号１６１０は、底壁１６０２とバックカバー２６とにわたって設けられた補強リブを示し、補強リブ１６１０は底壁１６０２の左右方向に間隔をおいて複数設けられている。
また、トレイ１６をバックカバー２６に一体に設けずに、図４に示すように、トレイ１６をバックカバー２６とは別個に形成し、トレイ１６に左右に間隔をおいて複数の取り付け片１６２０を突設し、ねじ１６２２でバックカバー２６に着脱可能に取り付けるようにしてもよい。
【００１１】
次に、効果について説明する。
薄板状の表示パネル２０を備えるテレビジョン装置１０が使用される場合、その占有スペースＳは、図２（Ａ）に示すように、平面視した場合、載置用板部１４０２の前縁を通り左右方向に延在する仮想線Ｌ５と、載置用板部１４０２の後縁を通り左右方向に延在する仮想線Ｌ２と、ディスプレイ装置１２の左右両端を通り前後方向に延在する２本の仮想線Ｌ３、Ｌ４とで囲まれたスペースである。
本実施の形態では、前記占有スペースＳのうち、表示パネル２０の上端を覆う筐体２２部分の後面の後方のスペースのみを利用しこの占有スペースＳ内に収まるようにトレイ１６が設けられているので、薄板状の表示パネル２０を備えたテレビジョン装置１０の省スペース化という長所を損なうことなく、また、正面から見たテレビジョン装置１０のデザイン性を損なうことなくトレイ１６を配置できる。
したがって、テレビジョン装置１０の商品価値を何ら低下させることなくテレビジョン装置１０の上部を、ポータブル機器や、リモートコントロール装置、小物類の載置スペースとして利用することができるようになり、テレビジョン装置１０の商品価値や実用的価値を格段と高めることが可能となる。
例えば、ビデオカメラやデジタルスチルカメラなどのようなポータブル機器をテレビジョン装置１０に接続する場合、それらポータブル機器をトレイ１６に載置でき、複数本の接続用ケーブルをディスプレイ装置１２の後面に取り回せるので、従来のように、テレビジョン装置の近傍箇所にポータブル機器が置かれテレビジョン装置の周りに複数本の接続用ケーブルが取り回されるなど、テレビジョン装置の周囲が煩雑となる不具合を解消できる。
特に、本実施の形態では、外部装置との間で映像信号や音声信号などをやり取りするための入出力用の複数のコネクタ２８が、トレイ１６の下方でトレイ１６の近傍箇所に位置しているので、それらポータブル機器との電気的な接続も簡単になされ、また、接続用ケーブルをディスプレイ装置１２の後面に取り回す上でも有利となる。
【００１２】
また、トレイ１６は表示パネル２０の後面上部に設けられ、テレビジョン装置１０の最も高い箇所に位置しているので、立った姿勢では、載置された小物類が目立ち易くそのため小物類の管理がし易く、また、小物類の載置や取出しを円滑に行なう上で有利となる。
すなわち、車のキー、腕時計などの常時携帯する小物の収納箇所としてトレイ１６を利用することが可能となる。
また、本実施の形態では、側壁１６０４の上端が、表示パネル２０の上端を覆う筐体２２部分の上縁と同じ高さに位置し、あるいは、表示パネル２０の上端を覆う筐体２２部分の上縁よりも下方の箇所に位置しているので、テレビジョン装置１０の正面から座った姿勢で表示パネル２０を見た場合、トレイ１６が表示パネル２０により隠されて見えず、テレビジョン装置１０のデザイン性を損なうこともない。
【００１３】
次に、図５（Ａ）、（Ｂ）を参照してトレイ１６の変形例について説明する。
図５（Ａ）は変形例に係るトレイ１６部分の平面図、（Ｂ）は（Ａ）のＢＢ断面図を示す。
トレイ１６は、表示パネル２０の幅よりも小さい寸法で、表示パネル２０の上端を覆う筐体２２部分の後面上部のほぼ全長にわたって延在し、左右に横長の矩形状を呈している。
トレイ１６の底壁１６０２の左右方向の中央部に左右に間隔をおいて２つの仕切り壁１６３０が突出形成され、底壁１６０２に上方が開放された３つの収納スペースＳ１、Ｓ２、Ｓ３が形成されている。
そして、両側の収納スペースＳ１、Ｓ３の底壁１６０２にそれぞれ電源コンセント１６３２が設けられている。
また、中央の収納スペースＳ２にＵＳＢ用のコネクタ１６３４（テレビジョン装置１０と外部装置との間で映像信号や音声信号などをやり取りするための入出力用のコネクタ）が複数設けられ、また、収納スペースＳ２を開閉する蓋１６３６が側壁１６０４に揺動可能に取り付けられている。
このようなトレイ１６によれば、トレイ１６上に位置する電源コンセント１６３２やＵＳＢ用のコネクタ１６３４を利用できるので、ビデオカメラやデジタルスチルカメラなどのようなポータブル機器をテレビジョン装置１０に接続して使用する場合にその作業を簡単に行う上で有利となる。
【００１４】
次に、図６を参照してトレイ１６の下方の近傍箇所に電源コンセント１６４０を配置したテレビジョン装置１０について説明する。
図６はテレビジョン装置１０の上部の背面図を示す。
トレイ１６は、ディスプレイ装置１２の後面の上部に設けられ、より詳細には、バックカバー２６の上部に設けられている。
そして、複数の電源コンセント１６４０が、トレイ１６の下方でトレイ１６の近傍のバックカバー２６箇所に設けられている。
このようなテレビジョン装置１０によれば、トレイ１６近傍の電源コンセント１６４０を利用できるので、ビデオカメラやデジタルスチルカメラなどのようなポータブル機器をテレビジョン装置１０に接続して使用する場合にその作業を簡単に行う上で有利となる。
【００１５】
（第２の実施の形態）
次に、図７乃至図９を参照して第２の実施の形態にかかるテレビジョン装置５０について説明する。
図７は第２の実施の形態のテレビジョン装置５０の側面図、図８は表示パネル６０が鉛直方向に沿って起立した状態の第２の実施の形態のテレビジョン装置５０の平面図、図９はトレイ５６部分を後方から見た斜視図を示す。
テレビジョン装置５０は、ディスプレイ装置５２と、このディスプレイ装置５２を支持する基台５４と、トレイ５６と、トレイ５６を支持する平行運動機構５８を備えている。
本実施の形態では、ディスプレイ装置５２は液晶ディスプレイからなる表示パネル６０と筐体６２とを含んで構成されている。
筐体６２は、矩形枠状のフロントカバー６４と、フロントカバー６４と同じ輪郭の矩形状のバックカバー６６とが複数のねじによって締結されて構成され、フロントカバー６４は、表示パネル６０の表示面をなす前面の周囲と側面を覆っている。
すなわち、表示パネル６０はその表示面をフロントカバー６４の開口に臨ませて配設され、表示パネル６０の後面はバックカバー６６で覆われており、筐体６２の内部に、表示パネル６０を駆動、制御するための種々の電子部品が配設され、これら電子部品の多くはバックカバー６６の内部に配設されている。
【００１６】
基台５４は、テーブルや棚、カウンター、床などに載置される載置用板部５４０２と、載置用板部５４０２の中央から起立する支柱部５４０４とを備えている。
支柱部５４０４の上端には前方に向けてブラケット５４０６が突設され、また、支柱部５４０４の上端の左右両側に軸７０を介して２つのリンク７２の下端がそれぞれ揺動可能に結合されている。
ブラケット５４０６の先部は、バックカバー６６の後面で左右方向の中央部の箇所に、軸７４を中心に揺動調節可能に結合され、これによりディスプレイ装置５２は上下に揺動調節可能に基台５４で支持されている。
載置用板部５４０２は、第１の実施の形態と同様に、前後方向の奥行きと、左右方向の幅を有し、前半部がディスプレイ装置５２の前面から楕円状に前方に突出しており、後半部はディスプレイ装置５２の後面から後方に延在しその後縁は左右方向に延在している。
【００１７】
トレイ５６は、ディスプレイ装置５２の後面の上部に配置され、言い換えると、トレイ５６は表示パネル６０の後面上端の後方に配置されている。
トレイ５６は、ディスプレイ装置５２の前後方向の厚さよりも大きい寸法の奥行きを有して表示パネル６０の幅方向の全長にわたって延在し、左右に横長の矩形状を呈し、載置スペースを確保している。
トレイ５６は底壁５６０２と、底壁５６０２の周囲から起立された側壁５６０４とを備え、トレイ１６の前端で左右に延在する側壁５６０４部分は、表示パネル６０の後面を覆うバックカバー６６部分に近接している。
また、トレイ５６の後部で左右方向に延在する側壁５６０４部分の後面に電源コンセント６４１０が設けられ、電源コンセント６４１０がトレイ５６の後方に臨んでおり、ビデオカメラやデジタルスチルカメラなどのようなポータブル機器をテレビジョン装置５０に接続して使用する際の作業の簡単化が図られている。
【００１８】
底壁５６０２の前部で左右両端から下方にブラケット５６１２が突設され、また、底壁５６０２の前後方向の中間部で左右方向の中央部から左右に間隔をおいて下方に２つのブラケット５６１４が突設されている。
前部の２つのブラケット５６１２は、バックカバー６６の上部の左右側面に軸７６を介してそれぞれ揺動可能に結合されている。
前後方向の中間部の２つのブラケット５６１４は、２つのリンク７２の上端にそれぞれ軸７８を介して揺動可能に結合されている。
そして、軸７０と軸７４とを接続する支柱部５４０４部分およびブラケット５４０６部分と、軸７４と軸７６を接続するバックカバー６６部分と、軸７６と軸７８を接続する底壁５６０２部分と、リンク７２によりトレイ５６を支持する平行運動機構５８が構成され、ディスプレイ装置５２が上下に揺動調節された際に、ディスプレイ装置５２の上下揺動に追従してトレイ５６が、底壁５６０２の上面を常に水平に保った状態で前後方向に移動するように設けられている。
【００１９】
なお、第２の実施の形態では、表示パネル６０が鉛直方向に沿って起立した状態で平面視した場合、第１の実施の形態と同様に、表示パネル６０の上端を覆う筐体６２部分の後面を通り（本実施の形態ではバックカバー６６の上端面を通り）左右方向に延在する仮想線Ｌ１と載置用板部５４０２の後縁を通り左右方向に延在する仮想線Ｌ２との間にトレイ５６の前後方向にける輪郭が収まり、かつ、表示パネル６０の左右両端を覆う筐体６２部分の左右両端を通り（本実施の形態ではフロントカバー６４の左右側面を通り）前後方向に延在する２本の仮想線Ｌ３、Ｌ４との間にトレイ５６の左右方向における輪郭が収まるように設けられている。
また、第１の実施の形態と同様に、底壁５６０２は、表示パネル６０の上端を覆う筐体６２部分の上縁よりも下方の箇所に位置し、より詳細には、表示パネル６０の上端面を覆うフロントカバー６４の上端面よりも下方の箇所に位置し、底壁５６０２の上面は水平面上を延在している。
また、側壁５６０４の上端は、表示パネル６０の上端を覆う筐体６２部分の上縁と同じ高さに位置し、あるいは、表示パネル６０の上端を覆う筐体６２部分の上縁よりも下方の箇所に位置している。より詳細には、側壁５６０４の上端は、表示パネル６０の上端面を覆うフロントカバー６４の上端面と同じ高さに位置し、あるいは、表示パネル６０の上端面を覆うフロントカバー６４の上端面よりも下方の箇所に位置している。
【００２０】
次に、効果について説明する。
第２の実施の形態では、ディスプレイ装置５２が上下に揺動調節された際に、ディスプレイ装置５２の上下揺動に追従してトレイ５６が底壁５６０２を常に水平に保った状態で前後方向に移動する。
したがって、テレビジョン装置５０を構成し上下に揺動するディスプレイ装置５２の上部を、ポータブル機器や、リモートコントロール装置、小物類を落下させることなく載置できる載置スペースとして利用でき、薄板状の表示パネル６０を備えたテレビジョン装置５０の商品価値や実用的価値を格段と高めることが可能となる。
また、表示パネル６０が鉛直方向に沿って起立した状態で、平面視した場合、第１の実施の形態と同様に、仮想線Ｌ２、Ｌ３、Ｌ４、Ｌ５（Ｌ５は載置用板部５４０２の前縁を通り左右方向に延在する仮想線である）で囲まれたテレビジョン装置５０が占有する占有スペースＳのうち、表示パネル６０の上端を覆う筐体６２部分の後面の後方のスペースのみを利用しこの占有スペースＳ内に収まるようにトレイ５６が設けられているので、薄板状の表示パネル６０を備えたテレビジョン装置５０の省スペース化という長所を損なうことなく、また、正面から見たテレビジョン装置５０のデザイン性を損なうことなくトレイ５６を配置でき、ディスプレイ装置５２の上部を、ポータブル機器や、リモートコントロール装置、小物類の載置スペースとして利用することができ、テレビジョン装置５０の商品価値や実用的価値を格段と高めることが可能となる。
【００２１】
また、第１の実施の形態と同様に、トレイ５６は表示パネル６０の後面上部に設けられ、テレビジョン装置５０の最も高い箇所に位置しているので、立った姿勢では、載置された小物類が目立ち易くそのため小物類の管理がし易く、また、小物類の載置や取出しを円滑に行なう上で有利となる。
すなわち、車のキー、腕時計などの常時携帯する小物の収納箇所としてトレイ５６を利用することが可能となる。
また、本実施の形態では、側壁５６０４の上端が、表示パネル６０の上端を覆う筐体６２部分の上縁と同じ高さに位置し、あるいは、表示パネル６０の上端を覆う筐体６２部分の上縁よりも下方の箇所に位置しているので、テレビジョン装置５０の正面から座った姿勢で表示パネル６０を見た場合、トレイ５６が表示パネル６０により隠されて見えず、テレビジョン装置５０のデザイン性を損なうこともない。
【図面の簡単な説明】
【００２２】
【図１】第１の実施の形態のテレビジョン装置１０の斜視図である。
【図２】（Ａ）はテレビジョン装置１０の平面図、（Ｂ）はテレビジョン装置１０の正面図、（Ｃ）はテレビジョン装置１０の側面図である。
【図３】トレイ１６部分の断面図である。
【図４】筐体２２とトレイ１６を別個に形成した場合のトレイ１６の取り付け説明図である。
【図５】（Ａ）は変形例に係るトレイ１６部分の平面図、（Ｂ）は（Ａ）のＢＢ断面図である。
【図６】テレビジョン装置１０の上部の背面図である。
【図７】第２の実施の形態のテレビジョン装置５０の側面図である。
【図８】表示パネル６０が鉛直方向に沿って起立した状態の第２の実施の形態のテレビジョン装置５０の平面図である。
【図９】トレイ５６部分を後方から見た斜視図である。
【符号の説明】
【００２３】
１０、５０……テレビジョン装置、１２、５２……ディスプレイ装置、１４、５４……基台、１６、５６……トレイ、１６０２、５６０２……底壁、１６０４、５６０４……側壁、２２、６２……筐体、２４、６４……フロントカバー、２６、６６……バックカバー、５８……平行運動機構。
【図１】
2007088626.tif 000003
【図２】
2007088626.tif 000004
【図３】
2007088626.tif 000005
【図４】
2007088626.tif 000006
【図５】
2007088626.tif 000007
【図６】
2007088626.tif 000008
【図７】
2007088626.tif 000009
【図８】
2007088626.tif 000010
【図９】
2007088626.tif 000011